(57)【要約】【課題】従来のシステムで必要であった識別番号（ドキュメントＩＤや予約番号等）の管理や入力を不要とし、利用者の負担を軽減する。【解決手段】電子利用権２１を格納したデバイス２０とインターネット上のファイル管理サーバ５０とインターネットと接続された公共の場のプリンタ１０とによって構成され、電子利用権２１はプリンタ１０及びインターネットを利用するための認証情報とファイル管理サーバ５０にログインするための認証情報を含み、プリンタ１０は電子利用権２１を読み取る手段１１とその正当性を判定する手段１２とを備える。プリンタ１０は電子利用権が正当であればファイル管理サーバ５０からプリントアウトの対象となる電子ファイル一覧を取得して表示手段１５に表示し、その中から選択手段１６によって選択された電子ファイルをファイル管理サーバ５０から取得してプリントアウトする。【選択図】図１
2007280272.tif 000002
【特許請求の範囲】
【請求項１】
公共の場に設置されてインターネットと接続されているプリンタを使用することにより所望の電子ファイルのプリントアウトを可能とするシステムであって、
電子利用権を格納したデバイスと、上記電子ファイルが保存されているインターネット上のファイル管理サーバと、上記プリンタとによって構成され、
上記電子利用権は上記プリンタを利用するための第１の認証情報と、インターネットを利用するための第２の認証情報と、上記ファイル管理サーバにログインするための第３の認証情報とを含み、
上記プリンタは上記デバイスから上記電子利用権を読み取る手段と、読み取った電子利用権の正当性を判定する手段と、表示手段と、その表示手段に表示された内容を選択する選択手段とを具備するものとされ、
上記プリンタは上記電子利用権の第１及び第２の認証情報が正当であれば、その電子利用権の第３の認証情報を用いて上記ファイル管理サーバからプリントアウトの対象となる電子ファイル一覧を取得して上記表示手段に表示し、その電子ファイル一覧の中から上記選択手段によって選択された電子ファイルを上記ファイル管理サーバから取得してプリントアウトする機能を有することを特徴とする電子ファイルのプリントアウトシステム。
【請求項２】
公共の場に設置されてインターネットと接続されているプリンタを使用することにより所望の電子ファイルのプリントアウトを可能とするシステムであって、
電子利用権を格納したデバイスと、上記電子ファイルが保存されているインターネット上のファイル管理サーバと、上記プリンタと、インターネット上の電子利用権発行サーバとによって構成され、
上記電子利用権は上記プリンタを利用するための第１の認証情報と、インターネットを利用するための第２の認証情報と、上記ファイル管理サーバにログインするための第３の認証情報とを含み、
上記プリンタは上記デバイスから上記電子利用権を読み取る手段と、表示手段と、その表示手段に表示された内容を選択する選択手段とを具備し、
上記電子利用権発行サーバは上記プリンタが読み取った電子利用権の正当性を判定する手段を具備するものとされ、
上記プリンタは上記電子利用権の第１及び第２の認証情報が正当であれば、その電子利用権の第３の認証情報を用いて上記ファイル管理サーバからプリントアウトの対象となる電子ファイル一覧を取得して上記表示手段に表示し、その電子ファイル一覧の中から上記選択手段によって選択された電子ファイルを上記ファイル管理サーバから取得してプリントアウトする機能を有することを特徴とする電子ファイルのプリントアウトシステム。
【請求項３】
請求項１又は２記載の電子ファイルのプリントアウトシステムにおいて、
上記プリンタは紙文書を電子ファイル化するためのスキャナ機能を備え、
上記プリンタは上記電子利用権の第１及び第２の認証情報が正当であれば、その電子利用権の第３の認証情報を用いて上記電子ファイル化された文書を上記ファイル管理サーバに送信して保存させる機能を有することを特徴とする電子ファイルのプリントアウトシステム。
【請求項４】
請求項１乃至３記載のいずれかの電子ファイルのプリントアウトシステムにおいて、
上記電子利用権は電子ファイルを暗号化し、その暗号化された電子ファイルを復号化するための鍵を含むものとされ、
上記プリンタは上記鍵を用いて電子ファイルを暗号化し、その暗号化された電子ファイルを復号化する手段を有することを特徴とする電子ファイルのプリントアウトシステム。
【請求項５】
請求項１乃至４記載のいずれかの電子ファイルのプリントアウトシステムにおいて、
上記プリンタは上記デバイスに電子利用権を登録し、かつ利用に応じて電子利用権を処理するための処理手段を有することを特徴とする電子ファイルのプリントアウトシステム。
【請求項６】
デバイスに格納された電子利用権を用いることにより、公共の場に設置されてインターネットと接続されているプリンタからインターネット上のファイル管理サーバに保存されている電子ファイルをプリントアウトする方法であって、
上記電子利用権は上記プリンタを利用するための第１の認証情報と、インターネットを利用するための第２の認証情報と、上記ファイル管理サーバにログインするための第３の認証情報とを含んでおり、
上記プリンタは上記デバイスから上記電子利用権を読み取り、読み取った上記第１及び第２の認証情報が正当であれば上記第３の認証情報を上記ファイル管理サーバに送信し、
上記ファイル管理サーバは第３の認証情報を受信すると、その第３の認証情報を検証し、正当であればプリントアウトの対象となる電子ファイル一覧を上記プリンタに送信し、
上記プリンタは電子ファイル一覧を受信すると、その電子ファイル一覧を表示手段に表示し、その電子ファイル一覧の中から選択手段によって選択された電子ファイルの情報を上記ファイル管理サーバに送信し、
上記ファイル管理サーバは選択情報を受信すると、その選択された電子ファイルを上記プリンタに送信し、
上記プリンタは電子ファイルを受信すると、その電子ファイルをプリントアウトすることを特徴とする電子ファイルのプリントアウト方法。
【請求項７】
請求項６記載の電子ファイルのプリントアウト方法において、
上記プリンタは読み取った第１及び第２の認証情報の正当性判定をインターネット上の電子利用権発行サーバに要求することを特徴とする電子ファイルのプリントアウト方法。
【請求項８】
請求項６又は７記載の電子ファイルのプリントアウト方法において、
上記プリンタは電子ファイルをプリントアウトすると、電子利用権を処理し、その処理した電子利用権を上記デバイスに格納することを特徴とする電子ファイルのプリントアウト方法。
【発明の詳細な説明】
【技術分野】
【０００１】
この発明は公共の場に設置されているプリンタを使用することにより所望の電子ファイルのプリントアウトを可能とするシステム及びその方法に関する。
【背景技術】
【０００２】
現在、情報端末の小型化や無線接続インフラの普及などによりモバイルワーカーにとっての利便性が向上する一方、未だ不自由な点の一つとして外出先で電子ファイルを簡易にプリントアウトすることができないといったことがある。
一方、コンビニエンスストアやホテル、空港、駅などの公共の場では複写機を利用できる環境は比較的整っており、それら公共の場に設置されている複写機にはプリンタ機能を有し、インターネットに接続可能なものもある。このような公共の場に設置されている複写機を利用して電子ファイルをプリントアウトするサービスとして、米エレクトロニクス・フォー・イメージング（ＥＦＩ）社が提供する「PrintMe」（非特許文献１参照）や、富士ゼロックス（株）と（株）セブン・イレブン・ジャパンが提携して提供している「ネットプリントサービス」（非特許文献２参照）がある。
【０００３】
前者では、電子ファイルをプリントアウトしようとする際には、予め指定のＷｅｂサイトにアクセスしてサービスに対応する複写機を検索し、プリントアウトを実行する複写機を指定してサービス提供者が指定するＷｅｂサーバに電子ファイルを送信すると、その電子ファイルに対してドキュメントＩＤが発行され、発行されたドキュメントＩＤを予め指定した複写機に入力すると、複写機がＷｅｂサーバからそのドキュメントＩＤの電子ファイルを取得してプリントアウトするという方法を採用している。
一方、後者では、プリントアウトを実行する複写機を予め指定する必要はないが、電子ファイルをサービス提供者が指定するプリント予約センターに送信するとプリント予約番号が発行され、その発行されたプリント予約番号を任意の複写機に入力すると、複写機が予約センターから予約済みの電子ファイルを取得してプリントアウトするという方法を採用している。
【非特許文献１】“PrintMe”、［online］、米ＥＦＩ社、［平成１８年３月２７日検索］、インターネット<ＵＲＬ：http://www.printme.jp/guest/doc.html>
【非特許文献２】“ネットプリントサービス”、［online］、富士ゼロックス（株）、［平成１８年３月２７日検索］、インターネット<ＵＲＬ：http://www.fujixerox.co.jp /product/service/netprint/overview.html>
【発明の開示】
【発明が解決しようとする課題】
【０００４】
これら従来のプリントアウトシステム（プリントアウトサービス）では公共の場に設置されている複写機を利用して電子ファイルをプリントアウトしようとする際には予め指定のサーバやセンターに電子ファイルを送信して、その際に電子ファイル毎に発行されるドキュメントＩＤや予約番号といった識別番号を控えておき、その識別番号を複写機に入力する必要があり、つまり識別番号を記録（記憶）することと入力することが必要となっていた。
【０００５】
この場合、識別番号の管理は人間の記憶能力に依存することから忘却の恐れがあり、また識別番号を紙や記憶媒体に記録するような場合には紛失や盗難の恐れがある。さらに、複数の電子ファイルをプリントアウト可能とすべく、サーバやセンターに送信している場合には各電子ファイル毎にドキュメントＩＤや予約番号といった識別番号が発行されるので管理が煩雑となる。
【０００６】
一方、プリントアウトを実行するたびに識別番号を入力しなければならず、そのような入力作業は利用者にとっては手間となる。
この発明の目的は上述した問題に鑑み、従来、必要であった識別番号（ドキュメントＩＤ，予約番号）の管理及び入力を不要とし、よって手間がかからず、その点で利用者の負担を大幅に軽減できるようにした電子ファイルのプリントアウトシステム及び方法を提供することにある。
【課題を解決するための手段】
【０００７】
この発明によれば、公共の場に設置されてインターネットと接続されているプリンタを使用することにより所望の電子ファイルのプリントアウトを可能とするプリントアウトシステムは、電子利用権を格納したデバイスと、電子ファイルが保存されているインターネット上のファイル管理サーバと、プリンタとによって構成され、電子利用権はプリンタを利用するための第１の認証情報と、インターネットを利用するための第２の認証情報と、ファイル管理サーバにログインするための第３の認証情報とを含み、プリンタは上記デバイスから電子利用権を読み取る手段と、読み取った電子利用権の正当性を判定する手段と、表示手段と、その表示手段に表示された内容を選択する選択手段とを具備するものとされており、プリンタは電子利用権の第１及び第２の認証情報が正当であれば、その電子利用権の第３の認証情報を用いてファイル管理サーバからプリントアウトの対象となる電子ファイル一覧を取得して表示手段に表示し、その電子ファイル一覧の中から選択手段によって選択された電子ファイルをファイル管理サーバから取得してプリントアウトする機能を有するものとされる。
【０００８】
この発明による電子ファイルのプリントアウト方法は、デバイスに格納された電子利用権を用いることにより、公共の場に設置されてインターネットと接続されているプリンタからインターネット上のファイル管理サーバに保存されている電子ファイルをプリントアウトするものであって、電子利用権はプリンタを利用するための第１の認証情報と、インターネットを利用するための第２の認証情報と、ファイル管理サーバにログインするための第３の認証情報とを含んでおり、プリンタは上記デバイスから電子利用権を読み取り、読み取った第１及び第２の認証情報が正当であれば第３の認証情報をファイル管理サーバに送信し、ファイル管理サーバは第３の認証情報を受信すると、その第３の認証情報を検証し、正当であればプリントアウトの対象となる電子ファイル一覧をプリンタに送信し、プリンタは電子ファイル一覧を受信すると、その電子ファイル一覧を表示手段に表示し、その電子ファイル一覧の中から選択手段によって選択された電子ファイルの情報をファイル管理サーバに送信し、ファイル管理サーバは選択情報を受信すると、その選択された電子ファイルをプリンタに送信し、プリンタは電子ファイルを受信すると、その電子ファイルをプリントアウトする。
【発明の効果】
【０００９】
この発明によれば、各種認証情報を含む電子利用権をデバイスに格納し、そのデバイスにより電子利用権を行使することによって、公共の場に設置されたプリンタから電子ファイルをプリントアウトすることができるものとなっており、よって従来のプリントアウトシステム（プリントアウトサービス）のようにドキュメントＩＤや予約番号を管理したり、プリントアウトに際して入力したりする手間が省け、その点で利用者の負担を大幅に軽減することができる。
【発明を実施するための最良の形態】
【００１０】
この発明の実施形態を図面を参照して説明する。
図１はこの発明による電子ファイルのプリントアウトシステムの一構成例を示したものであり、この例ではプリントアウトシステムはプリンタ１０と、デバイス２０と、インターネット３０上の電子利用権発行サーバ４０とファイル管理サーバ５０とによって構成されている。
【００１１】
プリンタ１０はコンビニエンスストアやホテル、空港、駅などの様々な公共の場に設置される。なお、ここではプリンタと称しているが、現在、これら公共の場に設置されているデジタルカラー複合機（コピー，プリンタ）に相当するものである。プリンタ１０はインターネット３０と接続されている。
【００１２】
デバイス２０にはプリントアウトサービス利用のために必要となる電子利用権２１が格納されている。電子利用権２１にはプリンタ１０を利用するための認証情報（第１の認証情報）と、インターネットを利用するための認証情報（第２の認証情報）と、ファイル管理サーバ５０にログインするための認証情報（第３の認証情報）とが含まれ、さらに電子ファイルを暗号化し、その暗号化された電子ファイルを復号化するための鍵（暗号鍵／復号鍵）が含まれている。デバイス２０は利用者が所持するもので、耐タンパ性を有するものとされ、例えばＩＣカードとされる。
【００１３】
プリンタ１０は電子利用権読み取り手段１１と電子利用権判定手段１２と電子利用権処理手段１３と暗号／復号化手段１４を有し、さらに表示手段１５と、その表示手段１５に表示された内容を選択する選択手段１６と、紙文書を電子ファイル化するためのスキャナ機能１７を備えるものとされる。また、この例ではプリンタ１０はデバイス（ＩＣカード）２０からの情報の読み取りや書き込みを行うためのリーダ／ライタ装置１８を装備しており、電子利用権読み取り手段１１はこのリーダ／ライタ装置１８を介してデバイス（ＩＣカード）２０から電子利用権２１を読み取る。
【００１４】
電子利用権判定手段１２は電子利用権２１の正当性を判定するものであって、プリンタ１０を利用するための認証情報及びインターネットを利用するための認証情報が正当であるか否かを判定する。電子利用権処理手段１３はデバイス２０への電子利用権２１の登録や利用に応じて電子利用権２１を処理する機能を有する。
電子利用権発行サーバ４０はプリントアウトサービス提供事業者が所有するサーバであって、電子利用権発行手段４１を備えている。
【００１５】
ファイル管理サーバ５０は利用者認証手段５１とファイル管理手段５２を有しており、プリントアウトするための電子ファイルが保存される。利用者認証手段５１は利用者の正当性を判定する。なお、このファイル管理サーバ５０は利用者がアカウントをもつファイル管理サーバを有していれば、そのサーバとすることができ、またそのようなサーバを有していない場合にはプリントアウトサービス提供事業者が指定するサーバとなる。即ち、「PrintMe」や「ネットプリントサービス」などの従来の方式ではプリントアウトしようとする電子ファイルの送信先（保存先）はプリントアウトサービス提供事業者が指定するサーバであったが、この例ではファイル管理サーバ５０はプリントアウトサービス提供事業者のサーバに限定されない。
【００１６】
電子利用権２１の発行は例えばデバイス２０となるＩＣカードを利用者が購入し、そのデバイス（ＩＣカード）２０をプリンタ１０が装備するリーダ／ライタ装置１８にセットし、電子利用権２１の発行を要求することにより行われ、要求を受けた電子利用権発行サーバ４０の電子利用権発行手段４１はプリンタ１０及びインターネットを利用するための認証情報と暗号／復号化のための鍵を払いだす。また、ファイル管理サーバ５０にログインするための認証情報は利用者が予め契約している（アカウントをもつ）ファイル管理サーバ５０を有する場合にはそのファイル管理サーバ５０にログインするための認証情報を利用者がプリンタ１０から入力することにより、その入力した認証情報が電子利用権２１に含まれるものとされ、そのようなファイル管理サーバ５０を有していない場合にはプリントアウトサービス提供事業者が指定するファイル管理サーバ５０にログインするための認証情報が電子利用権発行手段４１から払いだされる。
【００１７】
プリンタ１０及びインターネットを利用するための認証情報は例えばユーザＩＤとパスワードとされ、ファイル管理サーバ５０にログインするための認証情報はファイル管理サーバ５０のアドレスとユーザＩＤとパスワードとされる。
【００１８】
図２は図１に示したプリントアウトシステムによって実行される電子ファイルのプリントアウトのシーケンスを示したものであり、以下、図２を参照して順に説明する。
（１）利用者がデバイス（ＩＣカード）２０をリーダ／ライタ装置１８にセットすることにより、プリンタ１０の電子利用権読み取り手段１１はデバイス２０から電子利用権２１を読み取り（Ｓ１０１）、電子利用権判定手段１２はプリンタ１０とインターネットを利用するための認証情報をチェックすることにより電子利用権２１の正当性を判定する（Ｓ１０２）。
（２）電子利用権２１の正当性が確認されると、プリンタ１０はファイル管理サーバ５０にログインするための認証情報に含まれているアドレスをもとに、ファイル管理サーバ５０に認証情報（ユーザＩＤとパスワード）を送信する（Ｓ１０３）。
【００１９】
（３）ファイル管理サーバ５０の利用者認証手段５１は認証情報を受け取り、その認証情報を検証する（Ｓ１０４）。認証情報の正当性が確認されると、ファイル管理手段５２はその認証情報を有する利用者のプリントアウトの対象となる（利用者がプリントアウト可能な）電子ファイル一覧をプリンタ１０に送信する（Ｓ１０５）。
（４）プリンタ１０は電子ファイル一覧を受信すると、その電子ファイル一覧を表示手段１５に表示する（Ｓ１０６）。表示された電子ファイル一覧の中から利用者が所望の電子ファイルを選択手段１６によって選択する（Ｓ１０７）と、その選択された電子ファイルの情報がファイル管理サーバ５０に送信される（Ｓ１０８）。
（５）ファイル管理サーバ５０のファイル管理手段５２は電子ファイルの選択情報を受信すると、その選択された電子ファイルをプリンタ１０に送信する（Ｓ１０９）。
【００２０】
（６）電子ファイルを受信すると、プリンタ１０の暗号／復号化手段１４は電子利用権２１に含まれている鍵を用いてその電子ファイルを復号化し（Ｓ１１０）、プリントアウトする（Ｓ１１１）。
（７）プリントアウトが終了すると、電子利用権処理手段１３は電子利用権２１を例えば使用済みにしたり、消去したりするための処理を行い（Ｓ１１２）、その処理した電子利用権２１をリーダ／ライタ装置１８を介してデバイス２０に格納する（Ｓ１１３）。なお、この際、例えば電子利用権２１を一回利用済みにするといったこともでき、この場合には電子利用権２１はその処理情報を、つまり利用状況を記憶する記憶部を有するものとされる。
【００２１】
以上説明した例ではプリンタ１０が電子利用権判定手段１２を具備するものとしているが、この電子利用権判定手段１２は電子利用権発行サーバ４０が具備するようにしてもよい。図３はこの場合のシーケンスを示したものであり、この例ではプリンタ１０はデバイス２０から電子利用権２１を読み取る（Ｓ１０１）と、その電子利用権２１のプリンタ１０とネットワークを利用するための認証情報を電子利用権発行サーバ４０に送信し（Ｓ１２１）、電子利用権発行サーバ４０の電子利用権判定手段がその正当性を判定する（Ｓ１２２）。判定結果はプリンタ１０に送信され（Ｓ１２３）、このようにして電子利用権２１の正当性が確認されれば、以下、図２の場合と同様、ステップＳ１０３〜１１３が実行される。なお、電子利用権判定手段１２に加え、電子利用権処理手段１３も電子利用権発行サーバ４０が具備するようにしてもよい。この場合、ステップＳ１１２の電子利用権処理はプリンタ１０ではなく、電子利用権発行サーバ４０側で行われる。
【００２２】
次に、図１に示したプリントアウトシステムを使用して紙文書を電子ファイル化してファイル管理サーバ５０に保存する場合のシーケンスについて、図４を参照して順に説明する。
（１）利用者はデバイス２０をリーダ／ライタ装置１８にセットし、また紙文書をプリンタ１０にセットする。プリンタ１０の電子利用権読み取り手段１１はデバイス２０から電子利用権２１を読み取り（Ｓ１３１）、電子利用権判定手段１２はプリンタ１０とインターネットを利用するための認証情報をチェックすることにより電子利用権２１の正当性を判定する（Ｓ１３２）。
【００２３】
（２）電子利用権２１の正当性が確認されると、プリンタ１０はそのスキャナ機能１７により紙文書をスキャニングし、電子ファイルを作成する（Ｓ１３３）。暗号／復号化手段１４は作成された電子ファイルを電子利用権２１に含まれている鍵を用いて暗号化する（Ｓ１３４）。
（３）プリンタ１０はファイル管理サーバ５０にログインするための認証情報に含まれているアドレスをもとに、ファイル管理サーバ５０に認証情報（ユーザＩＤとパスワード）を送信する（Ｓ１３５）。
（４）ファイル管理サーバ５０の利用者認証手段５１は認証情報を受け取り、その認証情報を検証する（Ｓ１３６）。認証情報の検証結果はプリンタ１０に送信され（Ｓ１３７）、認証情報の正当性が確認されれば、プリンタ１０は暗号化した電子ファイルをファイル管理サーバ５０に送信する（Ｓ１３８）。
【００２４】
（５）電子ファイルを受信すると、ファイル管理手段５２は電子ファイルをその認証情報を有する利用者の電子ファイルとしてファイル管理サーバ５０に格納し（Ｓ１３９）、格納が完了したことの通知をプリンタ１０に送信する（Ｓ１４０）。
（６）格納完了通知を受信すると、電子利用権処理手段１３は必要に応じて電子利用権２１を処理し（Ｓ１４１）、その処理した電子利用権２１をリーダ／ライタ装置１８を介してデバイス２０に格納する（Ｓ１４２）。
【００２５】
このように、プリンタ１０のスキャナ機能１７を利用することにより、紙文書を電子ファイル化することができ、この例ではその電子ファイルをファイル管理サーバ５０に保存することができる。なお、例えば利用者が所有するＰＣ（パーソナルコンピュータ）に保存されている電子ファイルはそのＰＣからファイル管理サーバ５０に送信することにより、ファイル管理サーバ５０に保存させることができる。
【００２６】
以上説明したように、この発明ではＩＣカードなどの耐タンパなデバイス２０に電子利用権２１を格納するものであって、その電子利用権２１に複数の認証情報を含めるものであり、このような電子利用権２１を用いることによって、従来のプリントアウトシステムのようにドキュメントＩＤや予約番号を記憶したり、控えたりする必要がなくなり、またそれら識別番号を入力する必要もなくなり、よって手間がかからず、利用者の負担を大幅に軽減することができる。
【００２７】
また、従来のプリントアウトシステムでは電子ファイル毎にドキュメントＩＤや予約番号といった識別番号が付与され、プリントアウト要求の際にはその識別番号を入力することから、プリントアウトする電子ファイルは一意に特定されるが、この発明ではプリントアウトする電子ファイルはファイル管理サーバ５０から送信される電子ファイル一覧から選択することができ、よって一つの電子利用権２１によってプリントアウト可能な電子ファイルは従来のように一意に特定されないため、その点でより柔軟性のあるシステムとなる。
【００２８】
デバイス２０に用いるＩＣカードは接触式、非接触式いずれであってもよく、またＩＣカードに限らず、携帯電話機や携帯情報端末（ＰＤＡ）等の端末やノートＰＣなどに組み込まれたＩＣチップをデバイス２０として用いることもできる。図１ではＩＣカード用のリーダ／ライタ装置１８をプリンタ１０は装備しているが、デバイス２０を利用者が所持する情報端末等に組み込まれているＩＣチップとする場合にはその情報端末とのインタフェースをプリンタ１０は装備するものとする。
また、電子利用権２１にはファイル管理サーバ５０にログインするための認証情報が含まれているが、ファイル管理サーバ５０は複数あってもよく、この場合にはそれら複数のファイル管理サーバ５０にログインするための認証情報を電子利用権２１に含めることとする。
【００２９】
なお、上述した例のように、電子ファイルを暗号化してファイル管理サーバ５０に保存し、プリントアウトする際には電子ファイルを暗号化された状態で送信し、プリンタ１０上で復号化してプリントアウトするようにすれば、ファイル管理サーバ５０や通信路上において電子ファイルが暗号化された状態となるため、強固な安全性を確保できる。
【図面の簡単な説明】
【００３０】
【図１】この発明による電子ファイルのプリントアウトシステムの一実施形態の構成を説明するための図。
【図２】この発明による電子ファイルのプリントアウト方法の一実施形態のシーケンスを示す図。
【図３】この発明による電子ファイルのプリントアウト方法の他の実施形態のシーケンスを示す図。
【図４】この発明による電子ファイルのプリントアウトシステムを使用して紙文書を電子ファイル化してファイル管理サーバに保存する際のシーケンスを示す図。
【図１】
2007280272.tif 000003
【図２】
2007280272.tif 000004
【図３】
2007280272.tif 000005
【図４】
2007280272.tif 000006